(57)【要約】【課題】要救助者を効率良く、且つ、安全に救助することが可能なヘリコプター人員運搬用バスケットを提供する。【解決手段】矩形状の底板体１０を設ける。該底板体１０の前後に装着する前後側面体２０及び左右に装着する左右側面体３０を設ける。前後側面体２０の上端部に設置する矩形状の蓋体４０を設ける。かご状を成し、懸吊ワイヤーＰで吊り下げ搬送するバスケットを設ける。底板体１０に対して各側面体と蓋体４０とをボールロックピン５０にて着脱自在に連結する。工具なしでバスケットを組み立てるように構成する。【選択図】  図１
2018057613.tif 000002
【特許請求の範囲】
【請求項１】
矩形状の底板体と、該底板体の前後に装着する前後側面体及び左右に装着する左右側面体と、前後側面体の上端部に設置する矩形状の蓋体とを備えたかご状を成し、懸吊ワイヤーで吊り下げ搬送されるヘリコプター人員運搬用バスケットにおいて、底板体に対して前後側面体と左右側面体と蓋体とをボールロックピンにて着脱自在に連結するように設け、工具なしでバスケットを組み立てるように構成したことを特徴とするヘリコプター人員運搬用バスケット。
【請求項２】
前記底板体の左右側縁部に一対の強化板を立設すると共に、該強化板の前後に前記前後側面体を前記ボールロックピンにて着脱自在に連結し、強化板の上方に設置する前記左右側面体を前記前後側面体に前記ボールロックピンにて着脱自在に連結すると共に、該前後側面体の上端部に前記蓋体をボールロックピンにて着脱自在に連結するように設けた請求項１記載のヘリコプター人員運搬用バスケット。
【請求項３】
前記蓋体の前後側縁側に一対の強化板を配設すると共に、前記蓋体の四つ角にワイヤー支持部を突設し、該ワイヤー支持部の鉛直下方で前記底板体の外側面にワイヤー係止部を設け、蓋体のワイヤー支持部から底板体のワイヤー係止部に係止した懸吊ワイヤーにて前記底板体を吊下げるように構成した請求項１又は２記載のヘリコプター人員運搬用バスケット。
【請求項４】
前記底板体の周囲縁下面に断面半円形のチューブ状を成した緩衝体が装着された請求項１又は２記載のヘリコプター人員運搬用バスケット。
【請求項５】
前記底板体に移動用の車輪が前記ボールロックピンにて着脱自在に装着された請求項１又は２記載のヘリコプター人員運搬用バスケット。
【発明の詳細な説明】
【技術分野】
【０００１】
本発明は、ヘリコプターの機動力を活かした吊上げ救助に使用するヘリコプター人員運搬用バスケットに関するものである。
【背景技術】
【０００２】
従来、大規模な洪水や山岳遭難等で、要救助者をヘリコプターで救助する場合、要救助者の上空で空中停止(ホバリング)した状態を保ち、救助隊員をロープで吊り降ろす。この救助隊員は、要救助者に固定ベルトを装着して要救助者を抱きかかえた状態で吊り上げ救助していた。
【０００３】
このような救助方法では、救助隊員が要救助者を一人ずつ吊り上げる救助作業になるので、要救助者が大勢いる状況などでは、救助隊員が何度も降下と上昇を繰り返すことになる。そのため、全員を救助するまでに救助時間が長くなる上、遅延化する救助の間に、救助現場が更に危険な状況になるおそれもあった。
【０００４】
高層ビルなどの救助活動などに使用する人員運搬用の器材として、特許文献１に記載されている救助キャビンが提案されている。この救助キャビンは、複数の要救助者を同時に救助するために、軽量鉄骨材からなる枠組みにアルミパネルを取り付けて略直方体状に形成したもので、高層ビル等の建築物の屋上に複数台設置しておく構造物である。
【０００５】
一方、特許文献２に、折りたたみ可能に構成された航空機用吊下げかごが記載されている。このかごは、かご本体に設けられた吊り枠が上半部と下半部とに２分割され、枢支ピンによって折曲可能に連結されたものである。そして、ヘリコプターに格納する際に、吊り枠を折りたたんで格納する。
【先行技術文献】
【特許文献】
【０００６】
【特許文献１】特開２００１‐２４５９９５号公報
【特許文献２】実開平５‐４４７９８号公報
【発明の概要】
【発明が解決しようとする課題】
【０００７】
特許文献１に記載の救助キャビンは、高層ビルのように、想定される救出現場に予め設置するものなので、この救助キャビンをヘリコプターに収納することはできない。そのため、この救助キャビンを運んで他の救助場所へ向かおうとすると、ヘリコプターに吊り下げた状態で飛行することになる。したがって、このような救助キャビンでは、緊急時に機敏に対応することは困難である。また、仮に救助キャビンをヘリコプターに収納できるサイズに縮小したとしても、救助キャビンの構造上、重量が極めて重くなり、一人でヘリコプターに収納することは極めて困難になる。
【０００８】
特許文献２に記載の航空機用吊下げかごは、救急患者等の収容、移送を行なうことを想定し、特にヘリコプターに格納するように折りたたみ可能に構成されている。ところが、この吊下げかごは一人用に設計されており、救助を待つ人々が大勢いる状態などでは、救助の遅延化は免れない。しかも、吊り枠の長手中央に設けられた略コ字状の引掛金具に、昇降装置のフックを掛けて吊り上げる構成なので、ヘリコプターで吊り上げる際に、かご全体が大きく揺れるといった安全性の課題もある。
【０００９】
そこで、本発明は上述の課題を解消すべく案出されたもので、救助を待つ人々が大勢集まっている救助現場でも要救助者を効率良く救助することができ、しかも、多くの人々を安全に救助することが可能なヘリコプター人員運搬用バスケットの提供を目的とするものである。
【課題を解決するための手段】
【００１０】
上述の目的を達成すべく本発明における第１の手段は、矩形状の底板体１０と、該底板体１０の前後に装着する前後側面体２０及び左右に装着する左右側面体３０と、前後側面体２０の上端部に設置する矩形状の蓋体４０とを備えたかご状を成し、懸吊ワイヤーＰで吊り下げ搬送されるヘリコプター人員運搬用バスケットにおいて、底板体１０に対して前後側面体２０と左右側面体３０と蓋体４０とをボールロックピン５０にて着脱自在に連結するように設け、工具なしでバスケットを組み立てるように構成したことにある。
【００１１】
第２の手段は、前記底板体１０の左右側縁部に一対の強化板１１を立設すると共に、該強化板１１の前後に前記前後側面体２０を前記ボールロックピン５０にて着脱自在に連結し、強化板１１の上方に設置する前記左右側面体３０を前記前後側面体２０に前記ボールロックピン５０にて着脱自在に連結すると共に、該前後側面体２０の上端部に前記蓋体４０をボールロックピン５０にて着脱自在に連結するように設ける。
【００１２】
第３の手段は、前記蓋体４０の前後側縁側に一対の強化板４１を配設すると共に、前記蓋体４０の四つ角にワイヤー支持部４２を突設し、該ワイヤー支持部４２の鉛直下方で前記底板体１０の外側面にワイヤー係止部１２を設け、蓋体４０のワイヤー支持部４２から底板体１０のワイヤー係止部１２に係止した懸吊ワイヤーＰにて前記底板体１０を吊下げるように構成している。
【００１３】
第４の手段は、前記底板体１０の周囲縁下面に断面半円形のチューブ状を成した緩衝体６０が装着されている。
【００１４】
第５の手段は、前記底板体１０に移動用の車輪７０が前記ボールロックピン５０にて着脱自在に装着されたものである。
【発明の効果】
【００１５】
請求項１のごとく、ボールロックピン５０を使用して、前後側面体２０、左右側面体３０、蓋体４０を工具なしで底板体１０に着脱自在に連結するように構成したことにより、一人の作業員でも分解状態の本発明バスケットを折り重ねてヘリコプターに搭載することが可能になる。したがって、救助に向かうときなどの緊急時に機敏に対応することができる。しかも、組み立てて使用する際には工具なしの簡単な作業で組み立てられるので、救助現場等で簡単に組み立てることができる。この結果、状況に適した迅速な使用が可能になる。
【００１６】
請求項２のように、底板体１０の左右側縁部に一対の強化板１１を立設し、この強化板１１に前後側面体２０を連結し、強化板１１の上方に設置する左右側面体３０を前後側面体２０に連結すると共に、該前後側面体２０の上端部に蓋体４０を連結する構造であるから、底板体１０を中心にして本発明バスケットの構造を強化することができる。したがって、複数の要救助者を同時に運ぶ際の安全性を高めることできる。しかも、複数本のボールロックピン５０を使用して各部材を効率良く連結することが可能になる。
【００１７】
請求項３のように、蓋体４０のワイヤー支持部４２から、底板体１０のワイヤー係止部１２に係止した懸吊ワイヤーＰにて、底板体１０を吊下げるように構成しているので、懸吊ワイヤーＰを介して底板体１０を吊り下げる力は、蓋体４０を介してバランス良く底板体１０を吊り上げることができるので、複数の要救助者を乗せた底板体１０を安定した状態で確実に吊り上げることができる。また、懸吊ワイヤーＰの吊り下げる力は、前後側面体２０や左右側面体３０に直接加わらないので、前後側面体２０や左右側面体３０の変形を防止し、安全に吊り上げることができる。
【００１８】
請求項４のごとく、底板体１０の周囲縁下面に断面半円形のチューブ状を成した緩衝体６０が装着されているので、吊り上げたバスケットを着地させる際に、この緩衝体６０が衝撃を吸収するので、安全な着地が可能になる。
【００１９】
請求項５のように、底板体１０に移動用の車輪７０がボールロックピン５０にて着脱自在に装着されているので、状況に応じてバスケットを車輪７０で水平移動させることも可能になる。したがって、懸吊ワイヤーＰによる吊り上げ操作に加え、車輪７０による移動操作も自由に選択できる。したがって、例えば救助現場の近くで組立てた後、要救助者のいるところまで移動するなど、要救助者が置かれている状況に応じて最適な使用が可能になる。
【００２０】
このように、本発明によると、要救助者が大勢集まっている救助現場で要救助者を効率良く迅速に救助することができ、多くの人々を安全に救助することが可能になるなどといった当初の目的を達成した。
【図面の簡単な説明】
【００２１】
【図１】本発明の使用例を示す斜視図である。
【図２】本発明の分解斜視図である。
【図３】本発明を下から見た斜視図である。
【図４】本発明を折りたたんだ状態を示す斜視図である。
【図５】本発明の強化板に左右側面体を連結する状態を示す分解斜視図である。
【図６】本発明の強化板に左右側面体を連結した状態を示す斜視図である。
【図７】図６に示す矢視VII-VII線断面図である。
【図８】蓋体の強化板を示す斜視図である。
【図９】ワイヤー係止部に懸吊ワイヤーを係止する状態を示す分解斜視図である。
【図１０】ワイヤー係止部に懸吊ワイヤーを係止した状態を示す斜視図である。
【図１１】図１０に示す矢視XI-XI線断面図である。
【図１２】左右側面体の扉を開いた状態を示す斜視図である。
【図１３】左右側面体の扉を示す正面図である。
【図１４】本発明に車輪を装着した状態を示す斜視図である。
【図１５】本発明に車輪を装着する状態を示す分解図である。
【図１６】本発明に車輪を装着した状態を示す要部拡大斜視図である。
【図１７】（イ）、（ロ）は、一般的なボールロックピンの使用例を示す説明図である。
【発明を実施するための形態】
【００２２】
以下、本発明の実施の形態を説明する。本発明は、ヘリコプターの機動力を活かした吊上げ救助に使用するもので、懸吊ワイヤーＰで吊り下げ搬送される構成を成している（図１参照）。すなわち、本発明の主要構成は、底板体１０、前後側面体２０、左右側面体３０、蓋体４０を備えたかご状を成す。そして、ボールロックピン５０を使用して底板体１０に前後側面体２０、左右側面体３０、蓋体４０を着脱自在に連結する構成であり、組み立て時に工具を不要とする構成である（図２参照）。
【００２３】
ボールロックピン５０は、各部材を着脱自在に連結するもので、部材相互をワンタッチで完全固定し、分離すことができるように構成されている。一般的なボールロックピン５０は、ピン頭部に設けられている操作ボタン５１を押し込むとピン先端から側面方向に突出していたボール５２がピン内部に収納され、ピン先端部を連結孔に挿入できる状態になる（図１７（イ）参照）。ピン先端が連結孔を超えた位置で操作ボタン５１を離すと、ピン先端から側面方向にボール５２が押し出され、連結孔に係止して抜けないようになる（同図（ロ）参照）。分離する際は、再び操作ボタンを押すことで、ボールをピン内部に収納し、連結孔から抜き出すものである。
【００２４】
本発明では、このボールロックピン５０を使用して底板体１０に前後側面体２０、左右側面体３０、蓋体４０を着脱自在に連結する構成であるから、工具は一切使用せずに組み立てることができる。また、不使用時は、分解した各部材を底板体１０上に重ねて収納することが可能になる（図４参照）。
【００２５】
底板体１０は、矩形状を成し、この底板体１０の左右側縁部に一対の強化板１１を立設している（図２参照）。この強化板１１は、底板体１０の吊り上げ時の構造強化を図るもので、図示例では金属製のパレット状を成した底板体１０に帯板状の強化板１１を溶接したものである（図３参照）。この底板体１０の周囲縁下面に断面半円形のチューブ状を成した緩衝体６０が装着されている。この緩衝体６０は、吊り上げたバスケットを着地させる際に、この緩衝体６０が衝撃を吸収するように構成されている。
【００２６】
前後側面体２０及び左右側面体３０は、この底板体１０の前後左右に装着する保護部材である（図２参照）。前後側面体２０は、底板体１０の前後に装着される部材で、図示例では強化板１１の前後端部にボールロックピン５０にて着脱自在に連結されている（図５参照）。すなわち、強化板１１前後の底板体１０上に角パイプ状の支持材１３を立設固定し、この支持材１３に前後側面体２０の支柱２１を差し込んでいる（図６参照）。そして、これら支持材１３と支柱２１とを貫通するボールロックピン５０にて両者を連結している（図７参照）。
【００２７】
更に、この前後側面体２０には、要救助者の出入り口なる扉２３が設けられている（図１２参照）。図示の扉２３は、前後側面体２０の支柱２１に開閉自在に設けられたもので、一方の支柱２１に設けた蝶番２４にて揺動自在に連結され、他方の支柱２１に係止する係止杆２５を横スライド自在に設けている（図１３参照）。
【００２８】
左右側面体３０は、強化板１１の上方に設置する部材である（図１参照）。この左右側面体３０は、前後側面体２０にボールロックピン５０にて着脱自在に連結される。図示例では、前後側面体２０の支柱２１の側面上下に一対の支持体２２を突設し、左右側面体３０の上下に一対の連結杆３１を平行に設けている（図２参照）。そして、この連結杆３１の端部と支持体２２とを貫通するボールロックピン５０で連結する（図５参照）。
【００２９】
蓋体４０は、前後側面体２０の上端部に設置する矩形状の部材で、前後側面体２０の上端部にボールロックピン５０にて着脱自在に連結するように設けている（図１参照）。図示例では、蓋体４０の前後側縁側に一対の強化板４１を配設している。更に、蓋体４０の四つ角にワイヤー支持部４２を突設している（図１参照）。強化板４１は、ワイヤー支持部４２に懸吊ワイヤーＰを係止した際に、蓋体４０が変形しないように蓋体４０の強度を補強する部材である。そして前後側面体２０の上端部と強化板４１とを貫通するボールロックピン５０にて前後側面体２０に蓋体４０を連結している。
【００３０】
蓋体４０に設けた図示のワイヤー支持部４２は、蓋体４０の強化板４１側面に突設している（図８参照）。更に、このワイヤー支持部４２の鉛直下方にワイヤー係止部１２を設けている（図１参照）。このワイヤー係止部１２は底板体１０の外側面に設けられる部材で、懸吊ワイヤーＰを係止する（図９参照）。
【００３１】
図示のワイヤー係止部１２は、上端部に一対の連結板１２Ａを併設し、懸吊ワイヤーＰの端部に形成したループ状の連結部Ｐ１を連結板１２Ａの間に差し込むように設けている。そして、連結板１２Ａ相互と連結部Ｐ１とに連結ピン１４を貫通させる（図１０参照）。この連結ピン１４の側面には、抜け止めピン１５を挿通せしめる挿通孔１４Ａが開穿されている（図９参照）。連結ピン１４にて連結部Ｐ１を連結した後は、挿通孔１４Ａに抜け止めピン１５を挿通して連結ピン１４の抜け落ちを防止する（図１１参照）。そして、蓋体４０のワイヤー支持部４２から底板体１０のワイヤー係止部１２に係止した懸吊ワイヤーＰにて底板体１０を吊下げるように構成している（図１参照）。このように吊下げることで、懸吊ワイヤーＰの吊下げ荷重は、蓋体４０の強化板４１を介して直接底板体１０に伝わることになり、底板体１０の四隅をバランス良く吊り上げることができる。
【００３２】
図１４乃至図１６は、本発明の他の実施例を示している。すなわち、底板体１０に移動用の車輪７０をボールロックピン５０にて装着することで、状況に応じてバスケットを車輪７０で水平移動させるように構成したものである（図１４参照）。図示例では、両側に一対の車輪７０を回転自在に支持した固定基盤８０を設けている（図１５参照）。この固定基盤８０は、底板体１０の底面に装着する帯状の連結板８１と、該連結板８１の両端から底板体１０の側面方向に屈曲された屈曲板８２とを備えている。この屈曲板８２に車輪７０を回転自在に支持すると共に、屈曲板８２と底板体１０の側面とにボールロックピン５０を挿通して両者を連結するものである（図１６参照）。
【００３３】
尚、本発明歩廊構造は図示例に限定されるものではなく、底板体１０や前後側面体２０、左右側面体３０、蓋体４０等の構成や形状は任意に変更することができる。また、本発明の要旨を変更しない範囲での設計変更は自由に行える。
【符号の説明】
【００３４】
Ｐ  懸吊ワイヤー
Ｐ１  連結部
１０  底板体
１１  強化板
１２  ワイヤー係止部
１２Ａ  連結板
１３  支持材
１４  連結ピン
１４Ａ  挿通孔
１５  抜け止めピン
２０  前後側面体
２１  支柱
２２  支持体
２３  扉
２４  蝶番
２５  係止杆
３０  左右側面体
３１  連結杆
４０  蓋体
４１  強化板
４２  ワイヤー支持部
５０  ボールロックピン
５１  操作ボタン
５２  ボール
６０  緩衝体
７０  車輪
８０  固定基盤
８１  連結板
８２  屈曲板
【図１】
2018057613.tif 000003
【図２】
2018057613.tif 000004
【図３】
2018057613.tif 000005
【図４】
2018057613.tif 000006
【図５】
2018057613.tif 000007
【図６】
2018057613.tif 000008
【図７】
2018057613.tif 000009
【図８】
2018057613.tif 000010
【図９】
2018057613.tif 000011
【図１０】
2018057613.tif 000012
【図１１】
2018057613.tif 000013
【図１２】
2018057613.tif 000014
【図１３】
2018057613.tif 000015
【図１４】
2018057613.tif 000016
【図１５】
2018057613.tif 000017
【図１６】
2018057613.tif 000018
【図１７】
2018057613.tif 000019